(57)【要約】 【課題】本発明は、細線同軸ケーブルや光ケーブルを使用した、２方向開閉方式の携帯電話にも適用可能なモバイル防水機器を提供することを目的とする。【解決手段】ハウジング間を線状部材で連結するモバイル防水機器であって、前記各ハウジングの隙間をシールする弾性材製のシール部材と、前記シール部材の各々が、その両端近傍に一体化された連結部材とよりなり、前記線状部材が前記連結部材内を通って前記各ハウジング間の電子部品を導通する様になしたモバイル防水機器において、前記連結部材が円筒状のチューブ形状であることを特徴とする。【選択図】  図１
2010088140.tif 000002
【特許請求の範囲】
【請求項１】
ハウジング間を線状部材で連結するモバイル防水機器であって、前記各ハウジングの隙間をシールする弾性材製のシール部材（１）、（１´）と、前記シール部材（１）、（１´）の各々が、その両端近傍に一体化された連結部材（２）とよりなり、前記線状部材が前記連結部材（２）内を通って前記各ハウジング間の電子部品を導通する様になしたモバイル防水機器において、前記連結部材（２）が円筒状のチューブ形状であることを特徴とするモバイル防水機器。
【請求項２】
前記連結部材（２）が、軟質性樹脂材であることを特徴とする請求項１記載のモバイル防水機器。
【請求項３】
前記シール部材（１）、（１´）及び前記連結部材（２）が、共にシリコン材であることを特徴とする請求項１または２記載のモバイル防水機器。
【請求項４】
前記連結部材（２）の内周面側であって、前記シール部材（１）、（１´）が配置される箇所に、硬質材製の円筒状補強部材（３）が配置されていることを特徴とする請求項１〜３のいずれか一項記載のモバイル防水機器。
【請求項５】
前記補強部材（３）が金属材製であることを特徴とする請求項４記載のモバイル防水機器。
【発明の詳細な説明】
【技術分野】
【０００１】
本発明はモバイル防水機器に関するものである。
また、電子機器やコネクタの防水構造を提供するモバイル防水機器に関する。
更に詳しくは、細線同軸ケーブルや光ケーブルを使用した、縦にも横にも開けることの出来る２方向開閉方式の携帯電話に適したモバイル防水機器に関する
【背景技術】
【０００２】
近年、携帯電話等の電子機器や自動車用ワイヤーハーネス等に使用される防水コネクタは小型化が進むと同時に、高い防水機能が求められるようになってきた。
複数の空間からなる電子機器に防水機能を持たせるには、それぞれの空間を構成するハウジングに気密性をもたせ、各空間の間をワイヤーハーネス、フレキシブル基板などの線状部材で電気的に接続する必要がある。
【０００３】
この場合、各空間を仕切るハウジングの壁面に端子を設け、これらの端子間を配線材で接続する方法や、ハウジングの壁面に配線材を通して、配線材とハウジングの間に生じる隙間を接着剤等で埋める方法が提案された。
しかしながら、端子をハウジング壁面に設ける態様は、機器が大型化する問題があった。
配線材とハウジングの間に生じる隙間を接着剤等で埋める方法は、分解、再度の組み立てが困難となる問題を招来した。
【０００４】
そこで、図５及び図６に示すように、フレキシブル配線基板にシール部材を一体的に成形する態様が提案された（特許文献１、２）。
図５に示す態様は、各ハウジング(図示せず)の形状に対応する枠体形状のシール部材３０１が、フレキシブル配線基板１００と一体成形されている。
フレキシブル配線基板１００は、各シール部材３０１を貫通して伸びており、各シール部材３０１で囲まれる領域内で、電子部品が実装される。
【０００５】
また、図５に示す態様は、ブッシュ形状のシール部材３０３が、フレキシブル配線基板１００と一体成形されている。
このシール部材３０３は、各ハウジング(図示せず)に設けた挿通孔に装着される。
そして、フレキシブル配線基板１００の両端に設けたコネクタ３０４は、ハウジング内の電気部品と電気的に接続する。
しかし、この様なフレキシブル配線基板１００に、シール部材３０１、３０３を一体的に成形する方法においては、成形時の型締め圧力や高温度により、フレキシブル配線基板１００が損傷を受ける危険性が有った。
【０００６】
そこで、軟質樹脂材製の連結部（ヒンジ部）と硬質樹脂材製のハウジングとを一体成形した後、連結部に設けた貫通孔にフレキシブル配線基板を挿入する態様が提案された（特許文献３）。
【０００７】
しかし、成形の為の金型が、複雑で且つ大型化するため成形コストが高価にならざるを得ないばかりか、閉鎖空間のハウジング内において、フレキシブル配線基板を貫通孔に挿入する作業は非常に困難であった。
【０００８】
また近時は、携帯電話を始めとした小型の通信機器には、ユーザ層の拡大と共に、様々な差別化が行われ、小型化、耐撃性、防水性等様々な製品開発が行われている。
これらの要求に伴い、各種の機能を発揮するためには、配線軸数の増加と多軸可動化（２方向開閉方式）が必要となった。
このため、上述した従来のフレキシブル配線基板を使用する態様では、これらの要求を満足する事が出来ない問題を招来した。
【０００９】
そこで、多軸可動化を可能とする配線として、細線同軸ケーブルや光ケーブルが検討された。
しかし、細線同軸ケーブルに関しては、非常に細いケーブルが多数束ねられた隙間にガスケット材を均一に行き渡らせることや、ケーブルの被覆材として用いられているフッ素樹脂層との接着性が悪いことから、従来のガスケットを接着させることは非常に困難であった。
【００１０】
また、この種ケーブルの被覆材には、ピンホールが多く存在するため、細線同軸ケーブルへの水の浸入を防ぐことが出来ず、ハウジング内の機器を腐食させる問題を惹起した。
特に、細線同軸ケーブルや光ケーブルを使用した、２方向開閉方式の携帯電話の場合、連結部には、従来の一定角度の揺動に加え、捩れ運動が加えられる為、従来の平板状の形状や、ゴム状弾性材の様な材質では、対応が出来ない問題を惹起した。
【先行技術文献】
【特許文献】
【００１１】
【特許文献１】特開２００３−１４２８３６号公報
【特許文献２】特開２００４−２１４９２７号公報
【特許文献３】特開５−２５９６５６号公報
【発明の概要】
【発明が解決しようとする課題】
【００１２】
本発明は以上の点に鑑みて、細線同軸ケーブルや光ケーブルを使用した、２方向開閉方式の携帯電話にも適用可能なモバイル防水機器を提供することを目的とする。
【課題を解決するための手段】
【００１３】
上記目的を達成するために本発明にあっては、ハウジング間を線状部材で連結するモバイル防水機器であって、前記各ハウジングの隙間をシールする弾性材製のシール部材と、前記シール部材の各々が、その両端近傍に一体化された連結部材とよりなり、前記線状部材が前記連結部材内を通って前記各ハウジング間の電子部品を導通する様になしたモバイル防水機器において、前記連結部材が円筒状のチューブ形状であることを特徴とする。
【発明の効果】
【００１４】
本発明は、以下に記載されるような効果を奏する。
請求項１記載の発明のモバイル防水機器によれば、ハウジングの隙間を静的にシールするのに適した弾性材製のシール部材と、揺動が加えられる個所に好適な円筒状のチューブ形状の連結部材を組み合わせて使用しているため、揺動運動が加えられる、薄型の２方向開閉方式モバイルの防水を長期間安定して維持出来る。
【００１５】
また、請求項２記載の発明のモバイル防水機器によれば、揺動に加え、捩れ運動が加えられる、薄型の２方向開閉方式モバイルの防水を長期間安定して維持出来る。
更に、請求項３記載の発明のモバイル防水機器によれば、シール部材と連結部材との一体化が、より確実に行われ、シール部材と連結部材との間で剥がれが生ずる事が無い。
【００１６】
更に、請求項４記載の発明のモバイル防水機器によれば、最も変形を受け易いシール部材と一体化している箇所において、連結部材の形状が変形を受けない為、線状部材に損傷を与えることが無い。
また、請求項５記載の発明のモバイル防水機器によれば、連結部材の変形をより確実に阻止出来る。
【図面の簡単な説明】
【００１７】
【図１】本発明に係るモバイル防水機器に使用されるシール構造体の形態を示す平面図ある。
【図２】図１の部分拡大図である。
【図３】本発明に係るモバイル防水機器に使用される他のシール構造体の形態の半完成状態を示す平面図ある。
【図４】図３の半完成品にブッシュ形状シールを嵌着固定して完成させた、他のシール構造体の形態を示す平面図ある。
【図５】従来例に係るシール構造体を示す平面図である。
【図６】他の従来例に係るシール構造体を示す平面図である。
【発明を実施するための最良の形態】
【００１８】
以下、本発明を実施するための最良の形態について説明する。
図１乃至図４に基づき発明を実施するための最良の形態について説明する。
【００１９】
本発明に係るモバイル防水機器は、ハウジング間（図示せず）を線状部材で連結する基本的構成を備えている。
そこで使用されるシール構造体の形態は、図１及び図２に示す様に、ハウジング間を線状部材で連結するモバイル防水機器であって、前記各ハウジングの隙間をシールするゴム状弾性材製のシール部材１、１´と、このシール部材１、１´の各々が、その両端近傍に一体化された連結部材２とよりなり、線状部材が連結部材２内を通って各ハウジング間の電子部品を導通する構成となっている。
【００２０】
そして、この連結部材２は、軟質性樹脂材で成形された円筒状のチューブ形状である。
軟質性樹脂材としては、軟質シリコン樹脂、軟質ポリエステル樹脂、軟質ポリウレタン樹脂等の樹脂材が使用されるが、特に軟質シリコン樹脂が、柔軟性等の性質から好ましい。
また、連結部材２の形状は、外径が１〜３ｍｍで、肉厚が０．１〜０．３ｍｍのチューブ形状である。
このため、モバイルの開閉動作の際の抵抗が少なく、特に、薄型のモバイルに適用可能である。
【００２１】
また、線状部材としては、細線同軸ケーブル、または光ケーブルが使用される。
この為、各種の機能に対応出来るモバイル防水機器とすることが出来る。
更に、連結部材２の内周面側であって、シール部材１、１´が配置される箇所には、硬質材製の円筒状補強部材３が配置されている。
この補強部材３の材料としては、ステンレス、アルミ等の金属材、硬質樹脂等が使用されるが、耐食性や機械的強度の観点から、ステンレス材が好ましい。
この補強部材３が存在すると、最も変形を受け易いシール部材と一体化している箇所において、連結部材の形状が変形を受けない為、線状部材に損傷を与えることが無い。
【００２２】
また、シール部材１、１´の材質は、シリコンゴム、ニトリルゴム、フッ素ゴム等の各種のゴム状弾性材材料が使用可能であるが、選択接着性を有するゴム状弾製材であることが望まれ、具体的には、連結部材２と選択接着性を有する自己接着型シリコンゴム、ＴＰＥ等のゴム状弾性材料が好適に使用される。
【００２３】
シール部材１、１´は、成形時に、連結部材２外周面に一体成形する形でも、シール部材１、１´を成形後、連結部材２外周面に嵌合固定する形でも良い。
シール部材１、１´は、枠体形状シール１１、１１である。
そして、連結部材２は、枠体形状シール１１の角部１１１近傍に一体化してある。
このことにより、細線同軸ケーブルや光ケーブルを使用した、２方向開閉方式のモバイルに適用が可能となった。
すなわち。連結部材２において、揺動運動だけに留まらず、捩れ回転を生じさせることが可能である為である。
【００２４】
ついで、図３及び図４に基づき、本発明に係るモバイル防水機器に使用される、他のシール構造体の形態を説明する。
図３は、連結部材２の一方にのみ、枠体形状シール１１が一体成形されている。
また、先の実施形態と同様に、連結部材２の内周面側であって、シール部材１が配置される箇所に、ステンレス材製の円筒状補強部材３が配置されている。
更に、連結部材２の他方には、シール部材１が配置される予定の箇所に、ステンレス材製の円筒状補強部材３が挿入されている。
【００２５】
ついで、連結部材２の他方には、図４に示す様に、別工程で製造されたブッシュ形状シール１２が嵌合固定される。
このブッシュ形状シール１２の内径は、連結部材２の外径よりも少し小さい寸法としているため、ブッシュ形状シール１２と連結部材２との間に間隙が発生することが無い。
この様な構成と出来るのは、補強部材３が存在する為である。
【００２６】
この様に、シール部材１、１´は、枠体形状シール１１であっても、ブッシュ形状シール１２であっても、これらの組み合わせであっても良い。
更に、これらのシール部材１、１´は、連結部材２と成形一体化したものであっても、嵌合固定したものであっても良い。
ついで、本発明の製造方法について説明する。
＜製法１＞
【００２７】
まず、軟質性シリコン樹脂材で成形され、外径２ｍｍ、肉厚０．２ｍｍの円筒状のチューブ形状よりなる連結部材２の端部近傍の内周面側にステンレス材製の円筒状補強部材３を挿着する。
この円筒状補強部材３の外径は、連結部材２の内径と略同じ寸法のものである。また、長さは、シール部材１、１´を成形する際に金型が当接する範囲に存在する長さがあれば十分である。
ついで、補強部材３が位置する連結部材２の外周面上にハウジングの隙間をシールするシリコンゴム材製のシール部材１を、金型を使用して一体成形する。
ついで、ハウジング間を連結する細線同軸ケーブル、または光ケーブルを連結部材２に挿通し、最後に、ハウジングと一体化することによりモバイル防水機器が出来上がる。
＜製法２＞
【００２８】
製法１と相違する点は、シール部材１を連結部材２外周面に嵌合固定している点である。
すなわち、製法１と同様に、まず、軟質性シリコン樹脂材で成形され、外径２ｍｍ、肉厚０．２ｍｍの円筒状のチューブ形状よりなる連結部材２の端部近傍の内周面側にステンレス材製の円筒状補強部材３を挿着する。
一方、シリコンゴム材製のシール部材１単体を、金型を使用して成形する。
このシール部材１が枠体形状シール１１の場合、この枠体形状シール１１の角部１１１近傍には、連結部材２を挿通する為の貫通孔が設けられている。
ついで、シール部材１、１´を連結部材２の両端近傍に嵌合固定する。
ついで、ハウジング間を連結する細線同軸ケーブル、または光ケーブルを連結部材２に挿通し、最後に、ハウジングと一体化することによりモバイル防水機器が出来上がる。
【００２９】
また、本発明は上述の発明を実施するための最良の形態に限らず、本発明の要旨を逸脱することなくその他種々の構成を採り得ることはもちろんである。
【産業上の利用可能性】
【００３０】
細線同軸ケーブルや光ケーブルを使用した、２方向開閉方式のモバイルに好適に用いることが出来る。
【符号の説明】
【００３１】
１、１´    シール部材
２    連結部材
３    補強部材
【図１】
2010088140.tif 000003
【図２】
2010088140.tif 000004
【図３】
2010088140.tif 000005
【図４】
2010088140.tif 000006
【図５】
2010088140.tif 000007
【図６】
2010088140.tif 000008